(57)【要約】【課題】取扱説明書のデータを装置に内蔵することにより、紙の本の取扱説明書を添付する必要のない光ディスク装置を提供する。【解決手段】モードキーが押下され、取扱説明書モードに設定されたときに、フラッシュＲＯＭから取扱説明書のデータが読み出され、取扱説明書の目次がディスプレイ装置に表示される。次に、取扱説明書の目次中の各種操作方法を示す項目番号とリモコンの数字キーの番号とが対応するように数字キーが設定される。そして、ユーザが調べたい操作方法の項目番号をリモコンの該当する数字の数字キーで入力すると、該当する数字キーに対応した項目番号が示す操作方法の説明文のデータが、取扱説明書のデータから取り出されて、その操作方法の説明文がディスプレイ装置に表示される。【選択図】図５
2008084406.tif 000002
【特許請求の範囲】
【請求項１】
光ディスクに記録された情報を再生、または光ディスクに対して情報の記録／再生を行う光ディスク装置において、
少なくとも取扱説明書のデータを記憶したメモリと、前記取扱説明書のデータに基づいてディスプレイ装置に取扱説明書を表示させるためのオンスクリーンディスプレイ回路とを備えると共に、
操作手段の特定キーの押下により取扱説明書モードに設定されたときに、前記メモリから取扱説明書のデータを読み出して前記オンスクリーンディスプレイ回路で処理し取扱説明書の目次をディスプレイ装置に表示させる目次表示処理手段と、
前記取扱説明書の目次中の各種操作方法を示す項目番号と操作手段の数字キーの番号とが対応するように数字キーを設定する数字キー設定手段と、
押下された操作手段の数字キーに対応した項目番号が示す操作方法の説明文のデータを前記メモリに記憶されている取扱説明書のデータから取り出して前記オンスクリーンディスプレイ回路で処理し操作方法の説明文をディスプレイ装置に表示させる説明文表示処理手段と、を有するシステムコントローラを備えたことを特徴とする光ディスク装置。
【請求項２】
光ディスクに記録された情報を再生、または光ディスクに対して情報の記録／再生を行う光ディスク装置において、
少なくとも取扱説明書のデータを記憶したメモリと、前記取扱説明書のデータに基づいてディスプレイ装置に取扱説明書を表示させるためのオンスクリーンディスプレイ回路とを備えると共に、
操作手段の特定キーの押下により、前記メモリから取扱説明書のデータを読み出して前記オンスクリーンディスプレイ回路で処理し取扱説明書の目次をディスプレイ装置に表示させ、次に、押下された操作手段の数字キーに対応した項目番号が示す操作方法の説明文のデータを前記メモリに記憶されている取扱説明書のデータから取り出して前記オンスクリーンディスプレイ回路で処理し操作方法の説明文をディスプレイ装置に表示させるシステムコントローラを備えたことを特徴とする光ディスク装置。
【請求項３】
前記システムコントローラは、操作手段の特定キーの押下により取扱説明書モードに設定されたときに、前記メモリから取扱説明書のデータを読み出して前記オンスクリーンディスプレイ回路で処理し取扱説明書の目次をディスプレイ装置に表示させる目次表示処理手段と、前記取扱説明書の目次中の各種操作方法を示す項目番号と操作手段の数字キーの番号とが対応するように数字キーを設定する数字キー設定手段と、押下された操作手段の数字キーに対応した項目番号が示す操作方法の説明文のデータを前記メモリに記憶されている取扱説明書のデータから取り出して前記オンスクリーンディスプレイ回路で処理し操作方法の説明文をディスプレイ装置に表示させる説明文表示処理手段とを有することを特徴とする請求項２に記載の光ディスク装置。
【発明の詳細な説明】
【技術分野】
【０００１】
本発明は、光ディスクに記録された情報を再生、または光ディスクに対して情報の記録／再生を行う光ディスク装置に関し、特に、取扱説明書の表示処理に関する。
【背景技術】
【０００２】
ＤＶＤやＣＤなどの光ディスクに記録された情報を再生、または光ディスクに対して情報の記録／再生を行う光ディスク装置では、購入後、初めて使用する場合には、アンテナへの接続、テレビジョン受像機への映像信号ケーブルおよび音声信号ケーブルの接続、タイマ機能のための現在時刻設定、チャンネルプリセットやＧコードのガイドチャンネルなどの初期設定を行うための据え付け操作が必要である。
【０００３】
その据え付け操作の中でも、アンテナへの接続、テレビジョン受像機への映像信号ケーブルおよび音声信号ケーブルの接続の作業は、通常のテレビジョン受像機の場合とは共通であるため、機種が異なったとしても、一般的な配線形態で接続すれば良い。ところが、光ディスク装置における電源投入後のタイマ機能のための現在時刻設定の操作方法、チャンネルプリセットなどの初期設定の操作方法、再生の操作方法、その他の機能の操作方法が、各機種毎に異なる場合がある。
【０００４】
一般的には、各光ディスク装置毎に固有の取扱説明書が添付されており、前記のような各機能を実行させる場合には、ユーザは取扱説明書を読みながら、各機能の操作方法を認識することで、目的の機能に対する操作を行うことにより、その目的の機能を実行させることができる。
【特許文献１】特開２００５−３３２５５３号公報
【特許文献２】特開２０００−１２３５５８号公報
【発明の開示】
【発明が解決しようとする課題】
【０００５】
ところが、最近の光ディスク装置は、多機能化に伴って仕様形態も複雑化し、機種毎に異なったものとなって来たため、添付される取扱説明書は、それぞれ数多くの機能を説明するために膨大な情報量を記載したものとなり、また、各機種毎に応じて操作方法などが異なって記載されていることが多い。
【０００６】
したがって、取扱説明書は、それぞれ数多くの機能を説明するために膨大な情報量を記載する必要があるため、紙の本の取扱説明書として作成されるので、紙が大量に必要で、また、製本の費用がかかるので、このような取扱説明書を添付した従来の光ディスク装置は、コストアップする傾向があると言う課題があり、また、ユーザが取扱説明書を紛失した場合には、知らない操作方法を調べることができなくなると言う課題が生じる。
【０００７】
なお、特許文献１の従来技術は、ＤＶＤレコーダなどの録画再生装置が電源投入されると、録画再生装置に接続されたＴＶ受像機などの表示装置上に、初期メニュー画面の表示がなされるようになっているが、この従来技術は、全部の機能を説明した取扱説明書を表示させるものではないので、紙の本の取扱説明書が別途必要になり、前記課題を解決できるものではない。
【０００８】
また、特許文献２の従来技術は、初期設定を簡単に行うために、例えば、ＤＶＤなどの記録媒体への記録または再生可能な記録再生装置に設定装置を組み込んでシステム構成すると共に、取扱説明書とは別に、その取扱説明書の説明内容に類似する独自のセットの取り扱い内容を記憶したＤＶＤなどの記録媒体を設けているが、ユーザが前記ＤＶＤを紛失すると、取扱説明書を読む必要がある。このため、この従来技術では、ユーザがＤＶＤを紛失したことも考えて、取扱説明書も添付させておく必要があるので、前記課題を解決できるものではない。
【０００９】
本発明は、上記のような課題を解決するためになされたもので、取扱説明書のデータを装置に内蔵することにより、紙の本の取扱説明書を添付する必要のない光ディスク装置を提供することを目的とする。
【課題を解決するための手段】
【００１０】
上記目的を達成するために、請求項１の発明は、少なくとも取扱説明書のデータを記憶したメモリと、前記取扱説明書のデータに基づいてディスプレイ装置に取扱説明書を表示させるためのオンスクリーンディスプレイ回路とを備えると共に、操作手段の特定キーの押下により取扱説明書モードに設定されたときに、前記メモリから取扱説明書のデータを読み出して前記オンスクリーンディスプレイ回路で処理し取扱説明書の目次をディスプレイ装置に表示させる目次表示処理手段と、前記取扱説明書の目次中の各種操作方法を示す項目番号と操作手段の数字キーの番号とが対応するように数字キーを設定する数字キー設定手段と、押下された操作手段の数字キーに対応した項目番号が示す操作方法の説明文のデータを前記メモリに記憶されている取扱説明書のデータから取り出して前記オンスクリーンディスプレイ回路で処理し操作方法の説明文をディスプレイ装置に表示させる説明文表示処理手段と、を有するシステムコントローラを備えたことを特徴とする光ディスク装置を提供する。
【００１１】
この構成において、操作手段の特定キーが押下され、取扱説明書モードに設定されたときに、目次表示処理手段は、メモリから取扱説明書のデータを、読み出して、オンスクリーンディスプレイ回路で処理し、取扱説明書の目次をディスプレイ装置に表示させる。次に、数字キー設定手段は、取扱説明書の目次中の各種操作方法を示す項目番号と操作手段の数字キーの番号とが対応するように数字キーを設定する。そして、ユーザが調べたい操作方法の項目番号を操作手段の該当する数字の数字キーを押下する。これにより、説明文表示処理手段は、該当する数字キーの押下を検知すると、該当する数字キーに対応した項目番号が示す操作方法の説明文のデータを、メモリに記憶されている取扱説明書のデータから取り出して、オンスクリーンディスプレイ回路で処理し、その操作方法の説明文をディスプレイ装置に表示させる。
【００１２】
この構成によれば、取扱説明書のデータを装置に内蔵することにより、紙の本の取扱説明書を添付する必要が無くなり、これにより、紙の本の取扱説明書の製本費用を無くすことができ、光ディスク装置は、コストダウンを図ることができ、また、元々、紙の本の取扱説明書が添付されていないので、ユーザが取扱説明書を紛失させるようなことを心配する必要がなくなる。
【００１３】
請求項２の発明は、少なくとも取扱説明書のデータを記憶したメモリと、前記取扱説明書のデータに基づいてディスプレイ装置に取扱説明書を表示させるためのオンスクリーンディスプレイ回路とを備えると共に、操作手段の特定キーの押下により、前記メモリから取扱説明書のデータを読み出して前記オンスクリーンディスプレイ回路で処理し取扱説明書の目次をディスプレイ装置に表示させ、次に、押下された操作手段の数字キーに対応した項目番号が示す操作方法の説明文のデータを前記メモリに記憶されている取扱説明書のデータから取り出して前記オンスクリーンディスプレイ回路で処理し操作方法の説明文をディスプレイ装置に表示させるシステムコントローラを備えたことを特徴とする光ディスク装置を提供する。
【００１４】
この構成において、操作手段の特定キーが押下されたとき、メモリから取扱説明書のデータが読み出されて、オンスクリーンディスプレイ回路で処理され、取扱説明書の目次が、ディスプレイ装置に表示される。次に、数字キーが押下されると、その数字キーに対応した項目番号が示す操作方法の説明文のデータが、メモリに記憶されている取扱説明書のデータから読み出されてオンスクリーンディスプレイ回路で処理され、その操作方法の説明文がディスプレイ装置に表示される。
【００１５】
この構成によれば、取扱説明書のデータを装置に内蔵することにより、紙の本の取扱説明書を添付する必要が無くなり、これにより、紙の本の取扱説明書の製本費用を無くすことができ、光ディスク装置は、コストダウンを図ることができ、また、元々、紙の本の取扱説明書が添付されていないので、ユーザが取扱説明書を紛失させるようなことを心配する必要がなくなる。
【００１６】
請求項３の発明では、請求項２の発明において、前記システムコントローラは、操作手段の特定キーの押下により取扱説明書モードに設定されたときに、前記メモリから取扱説明書のデータを読み出して前記オンスクリーンディスプレイ回路で処理し取扱説明書の目次をディスプレイ装置に表示させる目次表示処理手段と、前記取扱説明書の目次中の各種操作方法を示す項目番号と操作手段の数字キーの番号とが対応するように数字キーを設定する数字キー設定手段と、押下された操作手段の数字キーに対応した項目番号が示す操作方法の説明文のデータを前記メモリに記憶されている取扱説明書のデータから取り出して前記オンスクリーンディスプレイ回路で処理し操作方法の説明文をディスプレイ装置に表示させる説明文表示処理手段とを有する。
【００１７】
したがって、前記システムコントローラは、目次表示処理、数字キー設定処理、および説明文表示処理を実現でき、これにより、操作手段の特定キーの押下で、ディスプレイ装置に取扱説明書の目次を表示することが可能になり、また、操作手段の数字キーの押下で、ディスプレイ装置に操作方法の説明文を表示させることが可能になる。
【発明の効果】
【００１８】
以上のように本発明によれば、少なくとも取扱説明書のデータを記憶したメモリと、前記取扱説明書のデータに基づいてディスプレイ装置に取扱説明書を表示させるためのオンスクリーンディスプレイ回路とを備えると共に、操作手段の特定キーの押下により取扱説明書モードに設定されたときに、前記メモリから取扱説明書のデータを読み出して前記オンスクリーンディスプレイ回路で処理し取扱説明書の目次をディスプレイ装置に表示させる目次表示処理手段と、前記取扱説明書の目次中の各種操作方法を示す項目番号と操作手段の数字キーの番号とが対応するように数字キーを設定する数字キー設定手段と、押下された操作手段の数字キーに対応した項目番号が示す操作方法の説明文のデータを前記メモリに記憶されている取扱説明書のデータから取り出して前記オンスクリーンディスプレイ回路で処理し操作方法の説明文をディスプレイ装置に表示させる説明文表示処理手段とを有するシステムコントローラを備えたので、取扱説明書のデータを装置に内蔵することにより、紙の本の取扱説明書を添付する必要が無くなり、これにより、紙の本の取扱説明書の製本費用を無くすことができ、光ディスク装置は、コストダウンを図ることができる。また、元々、紙の本の取扱説明書が添付されていないので、ユーザが取扱説明書を紛失させるようなことを心配する必要がなくなる。
【００１９】
また、本発明によれば、少なくとも取扱説明書のデータを記憶したメモリと、前記取扱説明書のデータに基づいてディスプレイ装置に取扱説明書を表示させるためのオンスクリーンディスプレイ回路とを備えると共に、操作手段の特定キーの押下により、前記メモリから取扱説明書のデータを読み出して前記オンスクリーンディスプレイ回路で処理し取扱説明書の目次をディスプレイ装置に表示させ、次に、押下された操作手段の数字キーに対応した項目番号が示す操作方法の説明文のデータを前記メモリに記憶されている取扱説明書のデータから取り出して前記オンスクリーンディスプレイ回路で処理し操作方法の説明文をディスプレイ装置に表示させるシステムコントローラを備えたので、取扱説明書のデータを装置に内蔵することにより、紙の本の取扱説明書を添付する必要が無くなり、これにより、紙の本の取扱説明書の製本費用を無くすことができ、光ディスク装置は、コストダウンを図ることができる。また、元々、紙の本の取扱説明書が添付されていないので、ユーザが取扱説明書を紛失させるようなことを心配する必要がなくなる。
【発明を実施するための最良の形態】
【００２０】
以下、添付図面を参照しつつ、本発明の実施の形態について説明する。図１は本発明の一実施形態に係る光ディスク装置としてのＤＶＤレコーダの構成を示すブロック図である。本実施形態では、光ディスク装置としてのＤＶＤレコーダ（光ディスク記録再生装置）に対する取扱説明書の表示処理について説明しているが、これに限らず、光ディスク装置としてはＤＶＤプレイヤ（光ディスク再生装置）に対しても同様な取扱説明書の表示処理を採用しても良い。
【００２１】
図１において、このＤＶＤレコーダは、装置全体を制御するシステムコントローラ２２と、光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じて、モータ駆動回路３４を通じてスピンドルモータ５、およびスレッド３を駆動すると共に、光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２２】
また、このＤＶＤレコーダは、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２３】
また、このＤＶＤレコーダは、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオＭＰＥＧデコーダ１５と、このビデオＭＰＥＧデコーダ１５でのデコード処理を行うためにデータを一時的に格納するＲＡＭ１４とを備えている。
【００２４】
また、このＤＶＤレコーダは、システムコントローラ２２の指示に応じてビデオＭＰＥＧデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００２５】
また、このＤＶＤレコーダは、システムコントローラ２２に対して、録画指示を与えるための録画キー、再生指示を与えるための再生キー、録画や再生の停止指示を与えるための停止キーなど、各種操作キーを有するリモコン２１と、このリモコン２１の操作キーよりも少ない操作キーを有する本体操作部（図示せず）とを備えている。また、このＤＶＤレコーダは、装置の各構成要素を制御したり、装置全体を制御したりするためのプログラムやデータあるいは取扱説明書のデータが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７と、フラッシュＲＯＭ２３に記憶されている取扱説明書のテキストデータが読み出されてディスプレイ装置２０に取扱説明書を表示させる際にテキストデータをＯＳＤ（オンスクリーンディスプレイ）処理するＯＳＤ回路３５とを備えている。
【００２６】
また、このＤＶＤレコーダは、アンテナ２８に接続されるチューナ２９と、このチューナ２９で選局されたテレビジョン放送のアナログの映像音声信号、あるいは図示しないテレビジョン受信機や他の映像音声出力機器からの映像音声信号をデジタルの映像音声データに変換するＡ／Ｄ変換回路３０と、前記映像音声データをＭＰＥＧでエンコードするＭＰＥＧエンコーダ３１と、前記エンコードした映像音声データ（以下エンコードデータと言う）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００２７】
システムコントローラ２２は、本実施形態の特徴とする構成要素として、リモコン２１のモードキー５４の押下により取扱説明書モードに設定されたときに、フラッシュＲＯＭ２３から取扱説明書のデータを読み出してＯＳＤ回路３５で処理し取扱説明書の目次をディスプレイ装置２０に表示させる目次表示処理手段２２１と、前記取扱説明書の目次中の各種操作方法を示す項目番号と操作手段の数字キーの番号とが対応するように数字キーを設定する数字キー設定手段２２２と、押下されたリモコン２１の数字キーに対応した項目番号が示す操作方法の説明文のデータをフラッシュＲＯＭ２３に記憶されている取扱説明書のデータから取り出して０ＳＤ回路３５で処理し操作方法の説明文をディスプレイ装置２０に表示させる説明文表示処理手段２２３とを有する。なお、操作手段はリモコン２１以外に図示しない本体操作部であっても良いが、本実施形態において必要な操作をすることが可能なキーを本体操作部に備えている必要がある。
【００２８】
図２は本実施形態においてリモコンの操作キーの配置の一例を簡略化して示した構成図である。図２において、リモコン２１は、電源キー４１、数字キー４２上方向キー４３、下方向キー４４、左方向キー４５、右方向キー４６、決定キー４７、音声切換キー４８、消音キー４９、音量小キー５０、音量大キー５１、番組表表示キー５２、リターンキー５３、モードキー５４、その他複数の操作キーを有する。なお、ここで説明したキー配置やキーの種類は一例であるので、これに限ることはない。
【００２９】
図３は本実施形態においてＤＶＤレコーダの取扱説明書における目次の一例を示す画面表示図である。この取扱説明書の目次には、項目番号１のＤＶＤ再生方法、項目番号２のＣＤ再生方法、項目番号３のデータＣＤ（ＭＰ３，ＷＭＡ，ＪＰＥＧ）再生方法、項目番号４のプログラム再生方法、項目番号５のランダム再生方法、項目番号６の各種セットアップ、項目番号７のＤＶＤ録画方法などが表示されている。
【００３０】
図４は図３において項目番号１が示すＤＶＤ再生方法の説明文の一例を示す画面表示図である。この画面には、例えば、「（１）テレビの電源を入れ、入力切換を「ビデオ」に入力にする。（２）本機の電源を入れる。（３）本機にディスクを入れる。（４）「再生ボタン」を押す。（５）再生を止めるときは「停止ボタン」を押す。」と言うような再生方法の説明文が表示されている。
【００３１】
図５は本実施形態においてＤＶＤレコーダの取扱説明書を表示させる処理を説明するためのフローチャートである。このフローチャートおよび図１〜図４を参照してＤＶＤレコーダの取扱説明書を表示させる処理について説明する。
【００３２】
先ず、ユーザがリモコン２１の電源キー４１（図示しない本体操作部の電源キーでも良い）を押下すると、システムコントローラ２２は装置の電源をオンする（ステップＳ１）。電源がオンすると、システムコントローラ２２は、フラッシュＲＯＭ２３に記憶されているモード選択画面のデータを、読み出してＯＳＤ回路３５でＯＳＤ処理して、更にビデオエンコーダ１８でエンコードし、ディスプレイ装置２０に供給することにより、ディスプレイ装置２０にはモード選択画面が表示される（ステップＳ２）。
【００３３】
そして、システムコントローラ２２は、リモコン２１のモードキー５４が押下され（ステップＳ３）、取扱説明書モードが選択され（ステップＳ４）、決定キー４７が押下されたことを検知すると（ステップＳ５）、装置を取扱説明書モードに設定する（ステップＳ６）。このときに、システムコントローラ２２の目次表示処理手段２２１は、フラッシュＲＯＭ２３から取扱説明書のデータを、読み出して（ステップＳ７）、ＯＳＤ回路３５でＯＳＤ処理し、更にビデオエンコーダ１８でエンコードして、取扱説明書の目次をディスプレイ装置２０に表示させる（ステップＳ８）。
【００３４】
次に、システムコントローラ２２の数字キー設定手段２２２は、取扱説明書の目次中の各種操作方法を示す項目番号とリモコン２１の数字キーの番号とが対応するように数字キーを設定する（ステップＳ９）。そして、ユーザが調べたい操作方法の項目番号をリモコン２１の該当する数字、例えば、ＤＶＤ再生方法を調べたい場合は、リモコン２１の数字キー４２のうち、数字１の数字キーを押下する。これにより、システムコントローラ２２の説明文表示処理手段２２３は、数字１の数字キーの押下を検知すると（ステップＳ１０）、数字１の数字キーに対応した項目番号１が示すＤＶＤ再生方法の説明文のデータを、フラッシュＲＯＭ２３に記憶されている取扱説明書のデータから取り出して、ＯＳＤ回路３５で処理し、更に、ビデオエンコーダ１８でエンコードし、ＤＶＤ再生方法の説明文をディスプレイ装置２０に表示させる（ステップＳ１１）。
【００３５】
この後、ユーザが取扱説明書の目次の画面に戻したい場合は、リモコン２１のリターンキー５３を１回押下すれば良い。また、モード選択画面に戻したい場合は、リターンキー５３を２回押下すれば良い。したがって、システムコントローラ２２は、リターンキー５３が１回押下されたことを検知すると（ステップＳ１２）、ステップＳ８の処理に戻り、取扱説明書の目次を表示させる。また、システムコントローラ２２は、リターンキー５３が２回押下されたことを検知すると（ステップＳ１３）、ステップＳ２の処理に戻り、モード選択画面を表示させる。また、ステップＳ１１の処理の後、リターンキー５３が押下されずに、リモコン２１の電源キー４１が押下されて、装置の電源がオフされた場合は（ステップＳ１４）、本処理は終了する。
【００３６】
以上説明したように本実施形態によれば、取扱説明書のデータを装置に内蔵することにより、紙の本の取扱説明書を添付する必要が無くなり、これにより、紙の本の取扱説明書の製本費用を無くすことができ、光ディスク装置は、コストダウンを図ることができる。また、元々、紙の本の取扱説明書が添付されていないので、ユーザが取扱説明書を紛失させるようなことを心配する必要が無くなる。
【００３７】
なお、前記実施形態では、特定キーとしてリモコン２１のモードキー５４を使用して、取扱説明書モードに設定したが、リモコン２１に専用の取扱説明書モードキーを設けて、取扱説明書モードに設定しても良い。ただ、リモコン２１に専用の取扱説明書モードキーを設けると、その分だけリモコン２１がコストアップするが、取扱説明書を紙の本で作成する場合に比べて、全体的にコストダウンすれば問題がない。また、前記実施形態では、フラッシュＲＯＭ２３に取扱説明書のデータを記憶させたが、取扱説明書のデータのみを記憶したＲＯＭを装置に備えても良い。また、フラッシュＲＯＭ２３が装置に備えられていなく、ＲＯＭが備えられている場合は、そのＲＯＭに他のデータと共に取扱説明書のデータを記憶させれば良い。また、前記実施形態では、取扱説明書は、テキストデータでフラッシュＲＯＭ２３に記憶させたが、フラッシュＲＯＭ２３の容量が十分あれば、画像データでフラッシュＲＯＭ２３に記憶させても良い。
【産業上の利用可能性】
【００３８】
本発明は、ＤＶＤレコーダやＤＶＤプレイヤなどの光ディスク装置に利用でき、装置側で取扱説明書を記憶しておき、ディスプレイ装置に取扱説明書を表示させることが可能になる。
【図面の簡単な説明】
【００３９】
【図１】本発明の一実施形態に係る光ディスク装置としてのＤＶＤレコーダの構成を示すブロック図である。
【図２】前記実施形態においてリモコンの操作キーの配置の一例を簡略化して示した構成図である。
【図３】前記実施形態においてＤＶＤレコーダの取扱説明書における目次の一例を示す画面表示図である。
【図４】図３において項目番号１が示すＤＶＤ再生方法の説明文の一例を示す画面表示図である。
【図５】前記実施形態においてＤＶＤレコーダの取扱説明書を表示させる処理を説明するためのフローチャートである。
【符号の説明】
【００４０】
１    光ディスク
２０    ディスプレイ装置
２１    リモコン（操作手段）
２２    システムコントローラ
３５    ＯＳＤ回路
４２    数字キー
５４    モードキー（特定キー）
２２１    目次表示処理手段
２２２    数字キー設定手段
２２３    説明文表示処理手段
【図１】
2008084406.tif 000003
【図２】
2008084406.tif 000004
【図３】
2008084406.tif 000005
【図４】
2008084406.tif 000006
【図５】
2008084406.tif 000007